(57)【要約】【課題】目の衛生と健康を配慮し、１回の使用で使い捨てする使い捨て用マスカラ塗布具を提供する。【解決手段】一端が開口し、該開口をフィルム状の部材５で閉塞するとともに、内部にマスカラ液４を充填封入したマスカラ液収納容器２と、前記マスカラ液４を付着させ、睫毛に塗布するためのブラシ部９を有するマスカラ用ブラシ３とを備えた使い捨て用マスカラ塗布具１であって、前記フィルム状の部材５は、前記マスカラ用ブラシ３の先端部６を押し付けることにより、穿孔可能であるとともに、それによって穿孔された孔７の縁部８に、マスカラ液４が付着した前記マスカラ用ブラシ３のブラシ部９の毛先１２を接触させると、該マスカラ液４が擦り取られる程の硬さを備えている。【選択図】図１
0003123412.tif 000002
【実用新案登録請求の範囲】
【請求項１】
一端が開口し、該開口をフィルム状の部材で閉塞するとともに、内部にマスカラ液を充填封入したマスカラ液収納容器と、前記マスカラ液を付着させ、睫毛に塗布するためのブラシ部を有するマスカラ用ブラシとを備えたことを特徴とする使い捨て用マスカラ塗布具。
【請求項２】
前記フィルム状の部材は、ポリエチレンであることを特徴とする請求項１に記載の使い捨て用マスカラ塗布具。
【請求項３】
前記フィルム状の部材は、前記マスカラ用ブラシの先端部を押し付けることにより、穿孔可能であることを特徴とする請求項１又は２に記載の使い捨て用マスカラ塗布具。
【請求項４】
前記フィルム状の部材は、前記マスカラ用ブラシの先端部を押し付けることにより、穿孔可能であるとともに、それによって穿設された孔の縁部に、マスカラ液が付着した前記マスカラ用ブラシのブラシ部の毛先を接触させると、該マスカラ液が擦り取れる程の硬さを備えたことを特徴とする請求項１から３までのいずれか１項に記載の使い捨て用マスカラ塗布具。
【請求項５】
前記マスカラ用ブラシの先端部は尖鋭状に形成されていることを特徴とする請求項１から４までのいずれか１項に記載の使い捨て用マスカラ用塗布具。
【請求項６】
前記マスカラ用ブラシのブラシ部は、２つ折りにした針金の間にフィラメントを連続的あるいは一定間隔をおいて間欠的に挟み込んで撚り合わせることによって形成されていることを特徴とする請求項１から５までのいずれか１項に記載の使い捨て用マスカラ用塗布具。
【請求項７】
前記マスカラ用ブラシのブラシ部は、毛先が芯部材に対して放射状に付設されていることを特徴とする請求項１から５までのいずれか１項に記載の使い捨て用マスカラ用塗布具。
【請求項８】
前記マスカラ液収納容器は、透明なプラスチック材で形成されていることを特徴とする請求項１から７までのいずれか１項に記載の使い捨て用マスカラ用塗布具。
【請求項９】
前記マスカラ液収納容器は、内部に収納されているマスカラ液の色と同一の色が彩色されたプラスチック材で形成されていることを特徴とする請求項１から７までのいずれか１項に記載の使い捨て用マスカラ用塗布具。
【請求項１０】
前記マスカラ液収納容器のプラスチック材は、生分解性素材で形成されていることを特徴とする請求項８又は９に記載の使い捨て用マスカラ塗布具。
【考案の詳細な説明】
【技術分野】
【０００１】
本考案は、睫毛にマスカラ液を塗布するマスカラ用塗布具に係り、さらに詳しくは１回の塗布作業ごとに使い捨ることを目的とした使い捨て用マスカラ塗布具に関するものである。
【背景技術】
【０００２】
この種のマスカラ塗布具は、図４に示すようにマスカラ液を収納したアルミニウム製ケースＡ内に、アルミニウム製ピンチキャップＢを摘んでシャフトＣの先端のブラシ部分Ｄを挿入し、ブラシ部分Ｄに付着したマスカラ液を睫毛に塗布するものであるが、一般的に高価なため、３ヶ月程度の長きにわたって使用される。
【考案の開示】
【考案が解決しようとする課題】
【０００３】
その結果、ブラシ部分Ｄは長きの使用に耐えなければならず、しかも空気中に浮遊するゴミや塵や雑菌や黴菌等が付着し、あまつさえバクテリア等の巣窟となるため極めて不衛生で各種眼病の要因をなす。
【０００４】
また、マスカラ液も使用当初は、粘性が高くブラシ部分Ｄに不本意、不用意に大量に付着するために、睫毛の塗布操作中に垂れて目に入ったり、コンタクトレンズの内側に侵入し、コンタクトレンズ内面を汚染し、視界不良となることはしばしば経験するところである。
【０００５】
さらに、マスカラ液は次第に酸化変質劣化し、目の健康に悪影響を及ぼすとともに、早期に乾燥してブラシ部分Ｄへの付着が困難となり、睫毛への塗布も容易ではなくなり、長期の使用は当初使用に比べ何度も塗布操作を繰り返すと同時に睫毛に対して強く擦り付けるので睫毛も強く引張られ、その頻度が多くなればなるほど、前記睫毛の不健康、不衛生も手伝って睫毛が抜ける最悪事態をも引き起こしているのが現状である。
しかも、マスカラ液の乾操固結は最後まで使い尽きることが出来ない不経済性をも問われている。
【０００６】
この点を考慮してブラシ部分Ｄを筆毛に代えてケースＡ先端に取付け、マスカラ液を封入した取扱可能な弾性カートリッジをケースＡ内に充填して、使用時にケースＡ後端に被冠したキャップ状のノックを押してカートリッジを押圧し筆毛に適量のマスカラ液の抽出を行えるノック式マスカラ塗布具が市販されているが、カートリッジは交換可能でも筆毛は交換不能であるため、前記ブラシ同様の欠陥は免れず、カートリッジ交換は封入したマスカラ液の使い切る使用期間を３ヶ月程度に置いているので使用と共にカートリッジ内に空気の入り込む量が多くなるから、やはり酸化変質劣化は免れず次第にノックの押圧操作によってもマスカラ液の乾操固化により筆毛への抽出が悪くなり、前記ブラシ同様にこれ又は睫毛の抜毛の要因となし、マガジン内のマスカラ液を完全に使い尽きることは出来ない欠陥を帯有する。
【０００７】
ここにおいて、本考案の主要な目的は次の通りである。
本考案の第１の目的は、目の衛生と健康を配慮した使い捨て用マスカラ塗布具を提供せんとするものである。
【０００８】
本考案の第２の目的は、安価であって、１度きりの作業で捨てることを前提とした使い捨て用マスカラ塗布具を提供せんとするものである。
【０００９】
本考案の第３の目的は、ブラシに付着するマスカラ液の量を容易に調整できるようにした使い捨て用マスカラ塗布具を提供せんとするものである。
【００１０】
本考案の第４の目的は、複数の色の組み合わせのセットとして携帯用に便利な使い捨て用マスカラ塗布具を提供せんとするものである。
【００１１】
本考案の第５の目的は、廃棄後も自然分解される環境に優しい使い捨て用マスカラ塗布具を提供せんとするものである。
【課題を解決するための手段】
【００１２】
上記目的を達成するため、本考案に係る使い捨て用マスカラ塗布具は、一端が開口し、該開口をフィルム状の部材で閉塞するとともに、内部にマスカラ液を充填封入したマスカラ液収納容器と、前記マスカラ液を付着させ、睫毛に塗布するためのブラシ部を有するマスカラ用ブラシとを備えたことを特徴とするものである。
【００１３】
上記使い捨て用マスカラ塗布具のフィルム状の部材は、マスカラ用ブラシの先端部を押し付けることにより、穿孔可能であることが望ましく、具体的にはポリエチレンが望ましい。
【００１４】
さらに、上記使い捨て用マスカラ塗布具のフィルム状の部材は、前記マスカラ用ブラシの先端部を押し付けることにより、穿孔可能であるとともに、それによって穿設された孔の縁部に、マスカラ液が付着した前記マスカラ用ブラシのブラシ部の毛先を接触させると、該マスカラ液が擦り取れる程の硬さを備えていることが望ましい。
【００１５】
さらにまた、上記使い捨てマスカラ塗布具のマスカラ用ブラシの先端部は尖鋭状に形成してもよい。
【００１６】
また、上記マスカラ用塗布具のマスカラ用ブラシのブラシ部は、２つ折りにした針金の間にフィラメントを連続的あるいは一定間隔をおいて間欠的に挟み込んで撚り合わせることによって形成されていること、又は毛先が芯部材に対して放射状に付設されていることを特徴としてもよい。
【００１７】
さらにまた、上記マスカラ用塗布具のマスカラ液収納容器は、透明なプラスチック材又は内部に収納されているマスカラ液の色と同一の色が彩色されたプラスチック材で形成されていることを特徴としてもよい。なお、プラスチック材は生分解性素材で形成されていることが望ましい。
【考案の効果】
【００１８】
本考案の使い捨て用マスカラ塗布具は、１回の使用で捨てるので、新鮮さを失わず、常に衛生的であり、目の健康に支障をきたすことはないため、睫毛の抜毛の最悪事態を招来することもない。また、ブラシに対しマスカラ液を適量に付着させることが可能となり、メイクがやり易くなる他、目の中に入れたり、コンタクトレンズを汚すことがなくなる。さらに、マスカラ液を乾操固結して最後まで使い切れない無駄がなく経済的である。
【００１９】
その上、構造が簡単で、安価な部材で作ることが可能なので、製造コストがかからず、低価格で提供することが可能となる。また、使い捨てなので外出時や旅行時の携帯に便利な他、マスカラ液も少量で済むのでコンパクトにすることができ、複数の色を組み合わせたセットとして持ち運ぶことも可能となる。さらに、生分解性素材を用いることによって、廃棄後も自然分解又は低温での焼却が可能となるため、環境に対しても悪影響を与えることがない。
【考案を実施するための最良の形態】
【００２０】
以下、図面を参照して、本考案の最良の実施形態を符号を用いて説明する。
【実施例】
【００２１】
図１〜３は、本考案の使い捨て用マスカラ用塗布具をそれぞれ表わしたものであり、このうち、１はマスカラ用塗布具、２はマスカラ液収納容器、３はマスカラ用ブラシをそれぞれ示している。マスカラ用塗布具１は、前記マスカラ液収納容器２及びマスカラ用ブラシ３から構成される。
【００２２】
マスカラ液収納容器２は、有底円筒状の容器でその一端部は開口している。該収納容器の内部には、マスカラ液４が充填されている。前記開口には、前記マスカラ液４が漏出し、かつ乾操しないようにフィルム状部材５が被覆されていて、前記開口を封じている。
【００２３】
前記フィルム状部材５は、該部材に前記マスカラ用ブラシ３の先端部６を押し付けることにより、穿孔可能であるとともに、それによって穿設された孔７の縁部８に、マスカラ液４が付着した前記マスカラ用ブラシ３の毛先を接触させると、マスカラ液４が擦り取られる程の硬さを備えた部材であることが望ましく、そのような材質として具体的にはポリエチレンが挙げられる。
【００２４】
また、前記収納容器２は、本考案の目的が持ち歩くのに便利で、かつ１回の使用で捨てるマスカラ用塗布具を提供することであることから、プラスチックのようなできるだけ製造コストが安く、かつ軽量な部材を用いることが望ましい。また、使用の際に内部のマスカラ液の色が即座に分かるように、収納容器２の部材は透明か、または内部のマスカラ液と同一の色が彩色されたものであることが望ましい。
【００２５】
さらに、前記収納容器２は、環境に配慮し、負荷をかけないようにするため、捨てても土中や水中の微生物の働きにより分解され、又は低温で燃やしても焼却でき、有害ガスも発生させない生分解性素材で形成されることが理想的である。
【００２６】
次に、前記マスカラ用ブラシ３は、マスカラ液４を付着させ、人の睫毛に塗布するためのブラシ部９と、把持部１０とを有している。前記ブラシ部９は、芯部１１に対して放射状に付設されていて、芯部１１の一端は把持部１０内に埋め込み固定されている。
【００２７】
前記ブラシ３の先端部６は、前記フィルム状部材５を破り、ブラシ部９を収納容器２内に挿入するため、尖鋭状に形成されていることが望ましい。
【００２８】
前記ブラシ部９は、例えば一般的な歯間ブラシのようなものが好適であり、図示の例では、２つ折りにした針金の間にフィラメントを連続的あるいは一定間隔をおいて間欠的に挟み込んで撚り合わせることによって形成されている。
【００２９】
本実施例の使用にあっては、前記ブラシ３の先端部６をフィルム状部材５に押し付けると、該フィルム状部材が破れてその部分が穿孔され、孔７が形成される。そして、前記ブラシ部９を収納容器２内部に挿入させ、毛先１２にマスカラ液４を付着させて後、ブラシ部９を収納容器２から取り出す。その際に、前記毛先１２を孔７の縁部８に接触させると、該縁部により余分に付着した不要なマスカラ液が擦り取られる。これにより、使用者は毛先１２に付着したマスカラ液の量を簡単に調整することができ、適量のマスカラ液を睫毛に塗布することができるため、どんな所であってもメイクを見栄え良く行うことができる。
【００３０】
さらに、１回の使用で使い捨てするため、収納容器２内に充填封入したマスカラ液が酸化変質劣化や乾操個化することなく、常に新鮮で粘着性及び延展性に富んだマスカラ液を使用することができるとともに、外気に浮遊する埃や塵や雑菌や黴菌等の付着が蓄積されてバクテリアの温床となることがあり得ないので、各種眼病の発症のおそれがなく、衛生的かつ健康的である。
【００３１】
しかも、収納容器２を透明又は充填封入されたマスカラ液の色と同一の色に彩色することによって、持ち運ぶ際、予備を失念するおそれがなくなるとともに、嗜好性、趣向性、ファッション性を高めて楽しく使える等の優れた効果を発揮する。また、生分解性素材を用いることにより、廃棄物の問題を生じさせることもないため、使い捨てであっても環境に優しい。
【００３２】
以上、本考案の実施例につき図面を参照して詳細に説明したが、本考案はこれに限定されず、実用新案登録請求の範囲に記載した構成の範囲内において様々な態様で実施することができる。
【図面の簡単な説明】
【００３３】
【図１】本考案に係る使い捨て用マスカラ塗布具の全体を表わした斜視図である。
【図２】本考案に係る使い捨て用マスカラ塗布具のマスカラ液収納容器を後面からみた斜視図である。
【図３】本考案に係る使い捨て用マスカラ塗布具の使用状態を示す図である。
【図４】従来のマスカラ液塗布具のマスカラブラシを抜出した状態を説明した図である。
【符号の説明】
【００３４】
１    使い捨て用マスカラ塗布具
２    マスカラ液収納容器
３    マスカラ用ブラシ
４    マスカラ液
５    フィルム状部材
６    マスカラ用ブラシ先端部
７    孔
８    孔の縁部
９    ブラシ部
１０  把持部
１１  芯部
１２  毛先
【図１】
0003123412.tif 000003
【図２】
0003123412.tif 000004
【図３】
0003123412.tif 000005
【図４】
0003123412.tif 000006